(57)【要約】【課題】沈下や倒壊が生じにくく、設置工事が短期でできる護岸ブロックを提供する。【解決手段】計画河床ＲＧより下面の地盤上に設置される根入れ基礎ブロック１と、計画河床ＲＧより上面において岸壁用壁面を構成する壁面ブロック２とからなり、根入れ基礎ブロック１は、根入れ高さと同じ全高を有し、その底面が地盤との接地面であり、その上面が壁面ブロック２の設置面である。根入れ基礎ブロック１の底部は、その上部よりも奥行きが広く形成されていおり、根入れ基礎ブロック１の背面には、施工時に土砂を入れる凹部３１が形成されている。【選択図】図１
2006342521.tif 000002
【特許請求の範囲】
【請求項１】
計画河床より下面の地盤上に設置される根入れ基礎ブロックと、計画河床より上面において岸壁用壁面を構成する壁面ブロックとからなり、
前記根入れ基礎ブロックは、根入れ高さと同じ全高を有し、その底面が地盤との接地面であり、その上面が前記壁面ブロックの設置面である
ことを特徴とする護岸ブロック。
【請求項２】
前記根入れ基礎ブロックの底部は、その上部よりも奥行きが広く形成されている
ことを特徴とする護岸ブロック。
【請求項３】
前記根入れ基礎ブロックの背面には、施工時に土砂を入れる凹部が形成されている
ことを特徴とする護岸ブロック。
【請求項４】
前記根入れ基礎ブロックの上面には、胴込めコンクリートを詰める上面溝が形成されている
ことを特徴とする護岸ブロック。
【請求項５】
前記根入れ基礎ブロックの側面には、パッキンを詰める側面溝が形成されている
ことを特徴とする護岸ブロック。
【発明の詳細な説明】
【技術分野】
【０００１】
本発明は、護岸ブロックに関する。さらに詳しくは、河川の岸壁を形成したり、補強するのに用いられる護岸ブロックに関する。
【背景技術】
【０００２】
従来より、河川護岸の損壊を防止したり、河川生態系を保全する目的で、護岸ブロックが一般的に使用されている。このように護岸された河川においても災害は発生するが、その最大の原因と考えられているのが、河川の流れによる河床の洗掘、いわゆる護岸災害である。そのため、河川護岸は、河床より0.5〜1.5ｍ程度の根入れが行われている。
【０００３】
上記のような従来例は、特許文献１〜３に示されているが、その代表的な護岸構造を、図９に基づき説明する。
ＷＬは平常時の水位を示し、ＲＧは計画河床を示している。計画河床ＲＧとは、河川工事の際に設定した川床高さをいう。
【０００４】
既述のごとく、計画河床ＲＧにより下面には、根入れブロック101が数段分、積み重ねられる。図示の例では３段である。最上段の根入れブロック101の上には、壁面ブロック102が数段分、積み上げられている。その積み上げ段数は河川の大きさによって決められるが、水位ＷＬの上方まで延びている。
最下段の根入れブロック101の下面は、基礎コンクリート103を打設しており、各ブロック101，102の間は、胴込めコンクリート104を詰めて、各ブロック101，102を互いに結合している。
なお、壁面ブロック102は、河川の環境保全の要請から、高価ではあるが、植物や魚類の生息に適した環境保全型のブロックが用いられている。
しかし、根入れブロック101には、経済的理由から安価な従来型の間知ブロックを使用することが多い。
【０００５】
ところで、上記従来の護岸ブロックの設置工事には、日数がかかることが多い。
すなわち、基礎コンクリート103の打設には、土砂を除去して、整地し、型枠105を立ててから生コンクリートを注入し、固化するのを待たなくてはならない。また、その間工事現場に水が浸入しないように、土砂を盛り上げたり、矢板を打つ等の仮設工事が必要となる。
しかも、基礎コンクリートを打設する際には、水を排除することが必要となるため、水替え作業にポンプを使用し、現場条件に応じて１０日から２０日程度の日数を要している。
【０００６】
また、従来の護岸構造では、大雨等で水量が増加したり、長期にわたり高水位状態が続くと、河床底部の地盤が緩み複数段の根入れブロック101が位置ズレを起こしたり、最後には損壊することがある。
【０００７】
【特許文献１】特開平８−１５１６４４号公報
【特許文献２】特開平８−１３５１８号公報
【特許文献３】特開２００３−３２８３７５号公報
【発明の開示】
【発明が解決しようとする課題】
【０００８】
本発明は上記事情に鑑み、沈下や倒壊が生じにくく、設置工事が短期でできる護岸ブロックを提供することを目的とする。
【課題を解決するための手段】
【０００９】
第１発明の護岸ブロックは、計画河床より下面の地盤上に設置される根入れ基礎ブロックと、計画河床より上面において岸壁用壁面を構成する壁面ブロックとからなり、前記根入れ基礎ブロックは、根入れ高さと同じ全高を有し、その底面が地盤との接地面であり、その上面が前記壁面ブロックの設置面であることを特徴とする。
第２発明の護岸ブロックは、前記根入れ基礎ブロックの底部は、その上部よりも奥行きが広く形成されていることを特徴とする。
第３発明の護岸ブロックは、前記根入れ基礎ブロックの背面には、施工時に土砂を入れる凹部が形成されていることを特徴とする。
第４発明の護岸ブロックは、前記根入れ基礎ブロックの上面には、胴込めコンクリートを詰める上面溝が形成されていることを特徴とする。
第５発明の護岸ブロックは、前記根入れ基礎ブロックの側面には、パッキンを詰める側面溝が形成されていることを特徴とする。
【発明の効果】
【００１０】
第１発明によれば、根入れ基礎ブロックが一体型なので、ゆるい地盤でも倒れにくい。根入れ基礎ブロック単体の設置で計画河床高さまでの工事が完成することで、工事期間内の降雨による水位増水時の災害を防止しやすく、かつ工期を大幅に短縮することができ、水替え作業日数も３日程度に削減でき経済的となる。さらに、河床下での作業が短期間で行うことで河川工事による水質汚濁を回避することができる。
第２発明によれば、底面の面積が広いので、災害時で地盤がゆるんでも沈下しにくい。
第３発明によれば、背面に凹部が形成されているので軽量となり、施工が容易となる。また、施工後には土砂を入れておくと、基礎として必要な重量を保つことができるので、倒壊を防止できる。
第４発明によれば、上面溝に胴込めコンクリートを詰めることで、根入れ基礎ブロックとその上面に積み重ねる壁面ブロックとを強固に連結することができるので、護岸の崩壊を防止できる。
第５発明によれば、根入れ基礎ブロックを河川に沿って曲線状に設置したとき、隣接する根入れ基礎ブロック間に隙間ができるが、側面溝中にパッキンを入れることで、隙間を無くすことができる。
【発明を実施するための最良の形態】
【００１１】
つぎに、本発明の実施形態を図面に基づき説明する。
図１は本発明の第１実施形態に係る護岸ブロックの断面図である。図２は基礎ブロックの斜視図である。図３は基礎ブロックの側面図である。図４は（Ａ）図は基礎ブロックの左面図、（Ｂ）図は同平面図である。
【００１２】
本発明の護岸ブロックにおいて、特徴があるのは、根入れ基礎ブロック１である。計画河床ＲＧより上面に設置される壁面ブロック２は、とくに制限なく、どのような種類のブロックを用いてもよい。ただし、環境保全型のブロックを用いると魚の生息や植物の生育を可能にするので、好ましい。
根入れ基礎ブロック１は、図１に示すように、計画河床ＲＧより下方に埋設される大型の一体型のブロックである。以下、その詳細を説明する。
【００１３】
図２〜図４に示すように、根入れ基礎ブロック１は、正面視と背面視では四角形であり、側面視では不等辺三角形に近い形である。
すなわち、本体部１１は、四角形の厚板状部材であり、下部より上部が後退するように傾斜した部材である。
この本体部１１の下部前面には、上面が水平で、前面が垂直な水平段部１２が形成されている。
根入れ基礎ブロック１の高さは、本体部１１の高さが施工部分の根入れ寸法と同じであり、さらに水平段部１２の高さを加えたものである。したがって、根入れ寸法（通常は500ｍｍ〜1000ｍｍ）よりも全高は高くなっている。
【００１４】
根入れ基礎ブロック１の本体部１１の上面には、側面視で三角形状に切除された上面溝１３が、幅方向に沿って形成されている。
さらに、本体部１１の両側面には、パッキンを入れるための側面溝１４が上下方向に形成されている。
【００１５】
本体部１１の後面には、支持部２１が一体的に設けられている。この支持部２１は、底壁２２と左右の側壁２３とからなる。なお、本体部１１の幅が広い場合は中間壁２４を設けてもよい。
前記底壁２２は、傾斜した本体部１１を垂直上方から投影したのと同じ程度の底面積を有している。側壁２３と中間壁２４は、本体部１１と底壁２１とを連結する部材であるので、側面視で三角形状をなしている。
以上の形状に基づき、根入れ基礎ブロック１は、その底部の奥行きＢＬが上面の奥行きＵＬより大きくなっている。
【００１６】
前記支持部２１の底壁２２と側壁２３と本体部１１の裏面で囲まれる部分は、凹部３１となっている。なお、中間壁２４を用いた場合は、凹部３１は左右２カ所に区切られることになる。この凹部３１は、本体部１１の裏面まで凹んでいるが、本体部１１の裏面自体にさらに凹み形成して、凹部３１をより深くしてもよい。
【００１７】
前記根入れ基礎ブロック１は、既述のごとく凹部３１があることにより、寸法と体積が大きい割には、軽量である。よって、施工時の取り扱いが容易であるから工期を短縮しやすい。
しかし、施工後には凹部３１に土砂を詰めておけば、基礎として必要な重量を確保できるので、倒壊が生じにくい。
さらに、底面積が広いので、ゆるい地盤でも倒れにくいという利点がある。
【００１８】
つぎに、上記護岸ブロックの施工方法を説明する。
まず、計画河床ＲＧより根入れ高さ分を掘削して、底を平らに整地する。本発明の工法では平らに整地するだけでよく、コンクリートの打設は必要ないので、型枠も用いる必要がない。また、水替え作業の日数も３日程度に短縮できる。
整地を終えた跡には、根入れ基礎ブロック１を置いていく。根入れ基礎ブロック１の高さは、根入れ高さに合わせているので、通常500〜1500ｍｍがある。したがって、上下方向には根入れ基礎ブロック１が単体で施工できる。幅方向には、図２に示すように、同じ根入れ基礎ブロック１を連設していけばよい。
【００１９】
そして、根入れ基礎ブロック１の上面に、壁面ブロック２を複数段に段積みしていけば、計画河床ＲＧより上面の水中に岸壁を形成でき、さらに積み上げていけば、水位ＷＬよりさらに高く岸壁を形成していくことができる。
ブロックの積み上げに際して、根入れ基礎ブロック１とすぐ上段の壁面ブロック２との間は、上面溝１３にコンクリートを詰めて、互いに強固に結合することができる。
また、各段の壁面ブロック２間、そして同じ段の隣り合う壁面ブロック２間にも、コンクリートを詰めて互いに強固に結合することができる。
【００２０】
さらに、図５に示すように、隣接する根入れ基礎ブロック１，１同士の横の連結は、隣り合う水平段部１２にまたぐように、連結板１５を置き、ボルト１６をねじ込んで結合することができる。
【００２１】
また、図６に示すように、大きく湾曲させて設置し、河川の流れに沿わすことも容易である。
この場合、隣り合う根入れ基礎ブロック１，１の向き合った側面溝１４，１４の間にパッキン１７を入れておけば、河川内の水の浸透を防止できる。
【００２２】
つぎに、第２実施形態の根入れ基礎ブロック１を、図７に基づき説明する。
この根入れ基礎ブロック１は、本体部１１の上部から背後に向けて、後面段部１８を形成したものである。この後面段部１８の上面にもコンクリートを打設すると、壁面ブロック２，２同士の結合をより強化することができる。
【００２３】
つぎに、第３実施形態の根入れ基礎ブロック１を、図８に基づき説明する。
この実施形態では、本体部１１の上面を、前面に対し直角ではなく、より小さい角度に形成している。このため、壁面ブロック２を、根入れ基礎ブロック１の本体部１１の傾斜よりも浅くした護岸を構成することができる。
【図面の簡単な説明】
【００２４】
【図１】本発明の第１実施形態に係る護岸ブロックの断面図である。
【図２】基礎ブロックの斜視図である。
【図３】基礎ブロックの側面図である。
【図４】（Ａ）図は基礎ブロックの左面図、（Ｂ）図は同平面図である。
【図５】第１実施形態の護岸ブロックの斜視図と連結部拡大図である。
【図６】護岸ブロックの曲線設置状況説明図とパッキン部拡大図である。
【図７】本発明の第２実施形態に係る護岸ブロックの断面図である。
【図８】本発明の第３実施形態に係る護岸ブロックの断面図である。
【図９】従来の護岸ブロックの断面図である。
【符号の説明】
【００２５】
１    根入れ基礎ブロック
２    壁面ブロック
１１    本体部
１２    水平段部
１３    上面溝
１４    側面溝
１８    後面段部
２１    支持部
２２    底壁
２３    側壁
３１    凹部
【図１】
2006342521.tif 000003
【図２】
2006342521.tif 000004
【図３】
2006342521.tif 000005
【図４】
2006342521.tif 000006
【図５】
2006342521.tif 000007
【図６】
2006342521.tif 000008
【図７】
2006342521.tif 000009
【図８】
2006342521.tif 000010
【図９】
2006342521.tif 000011